(57)【要約】      （修正有）【課題】プレ記録モードで、非対応の再生装置でも目的の映像効果を再現できるようにする。【解決手段】プレ記録モードの開始により、撮像素子１４による撮影画像が、カメラ信号処理装置１６及び圧縮伸長装置１８を介して先行画像メモリ２０ｂに一定時間分、蓄積される。操作装置３４の記録開始指示により、映像効果生成処理装置２２が、先行画像メモリ２０ｂの先行画像データにフェード処理を施す。圧縮伸長装置１８は、フェード処理された先行画像データを順次、圧縮符号化する。得られた圧縮画像データは、記録媒体２６に記録される。記録開始指示の後の撮影画像データは、画像メモリ２０ａに一時格納されており、圧縮伸長装置１８により圧縮されて、記録媒体２６に記録される。【選択図】図１
2010093407.tif 000002
【特許請求の範囲】
【請求項１】
撮像手段と、
記録開始を指示する指示手段と、
記録媒体と、
前記指示手段による記録開始指示の前の前記撮像手段による撮影画像を先行画像として記憶するワークメモリと、
前記記録開始指示に応じて、前記ワークメモリの前記先行画像を前記記録媒体に記録させ、前記記録開始指示の後の前記撮像手段による撮影画像を前記記録媒体に記録させる制御手段
とを具備する撮像装置であって、
前記記録媒体に記録する前の前記先行画像に映像効果を施す映像効果生成処理手段を設けた
ことを特徴とする撮像装置。
【請求項２】
更に、画像データを圧縮符号化する圧縮手段を具備し、
前記制御手段は、前記記録媒体に記録される画像データを、前記記録媒体への記録の前に前記圧縮手段により圧縮符号化させる
ことを特徴とする請求項１に記載の撮像装置。
【請求項３】
前記先行画像がＲＡＷデータからなることを特徴とする請求項１又は２に記載の撮像装置
【請求項４】
更に、
前記指示手段による記録開始指示の前の前記撮像手段による撮影画像を圧縮符号化して、その圧縮画像データを前記先行画像として前記ワークメモリに格納する圧縮手段と、
前記指示手段による記録開始指示に応じて、前記ワークメモリの前記先行画像の前記圧縮画像データを伸長する伸長手段
とを具備し、
前記映像効果生成処理手段は、前記伸長手段で伸長された前記先行画像に前記映像効果を施す
ことを特徴とする請求項１に記載の撮像装置。
【発明の詳細な説明】
【技術分野】
【０００１】
本発明は、撮影画像を記録媒体に記録する撮像装置に関する。
【背景技術】
【０００２】
従来の動画像用の撮像装置は、撮影待機状態では、撮像手段による被写体画像をモニタ画面上に表示し、撮影者による記録開始の指示に応じて、撮像手段による被写体画像を記録媒体に記録する。
【０００３】
特許文献１には、撮影待機状態のときに所定データ量までの被写体画像をメモリに予め記憶しておき、記録開始指示に従い、当該メモリの被写体画像等と、記録開始指示後の撮影画像とを記録媒体に記録する撮像装置が記載されている。このような、記録開始指示前の撮影画像を記録する機能は、プレ記録機能と呼ばれている。
【０００４】
特許文献２には、記録開始指示から記録終了指示までの本来画像信号に、記録開始指示前の先行画像信号と、記録終了指示から後に後続画像信号を加えて記録媒体に記録する記録装置が記載されている。この構成では、目的とする本来画像信号に影響を与えることなしに、事後的につなぎ目部分に映像効果を与えることができる。例えば、先に記録された動画像の後続画像信号と、次に記録された動画像の先行画像信号とを使って、事後的にクロスフェード等のシーンチェンジエフェクトを掛ける。
【特許文献１】特開２０００-０１１５４１号公報
【特許文献２】特開２００２-２３２８３４号公報
【発明の開示】
【発明が解決しようとする課題】
【０００５】
従来の技術は、再生装置側で希望の映像効果を付与することを前提としており、記録装置側での処理に対応した専用再生装置を使用する必要がある。例えば、プレ記録モードで記録された画像にフェードイン処理を適用する場合、先行画像の長さに応じたフェードインを適用しないと、意図しないところから映像が表示され、おかしな再生映像になってしまう。
【０００６】
本発明は、このような不都合を回避可能な撮像装置を提示することを目的とする。
【課題を解決するための手段】
【０００７】
上記目的を達成するために、本発明に係る撮像装置は、撮像手段と、記録開始を指示する指示手段と、記録媒体と、前記指示手段による記録開始指示の前の前記撮像手段による撮影画像を先行画像として記憶するワークメモリと、前記記録開始指示に応じて、前記ワークメモリの前記先行画像を前記記録媒体に記録させ、前記記録開始指示の後の前記撮像手段による撮影画像を前記記録媒体に記録させる制御手段とを具備する撮像装置であって、前記記録媒体に記録する前の前記先行画像に映像効果を施す映像効果生成処理手段を設けたことを特徴とする。
【発明の効果】
【０００８】
本発明によれば、記録開始指示の前に記憶した先行画像に対して、フェードなどの映像効果を施し、本来の目的の撮影画像と共に記録媒体に記録する。これにより、再生装置側で映像効果を付与しなくてもよくなり、また、多くの再生装置に対応可能になる。
【発明を実施するための最良の形態】
【０００９】
以下、図面を参照して、本発明の実施例を詳細に説明する。
【実施例１】
【００１０】
図１は、本発明に係る撮像装置の一実施例の概略構成ブロック図を示す。撮像装置１０の撮影レンズ１２が、被写体光学像を撮像素子１４に結像する。撮像素子１４は、撮影レンズ１２による光学像を電気画像信号に変換する。カメラ信号処理装置１６は、撮像素子１４から出力されるアナログ画像信号をデジタル信号に変換した上、信号レベル調節、画素補間及び色変換等のビデオカメラで周知のカメラ信号処理を施す。
【００１１】
圧縮伸長装置１８は、カメラ信号処理装置１６からの画像データを一時記憶用又は作業用のワークメモリ２０に一時記憶して圧縮又は符号化し、後述する記録媒体から読み出された圧縮画像データを伸長又は復号化する。
【００１２】
ワークメモリ２０は、画像メモリ２０ａ、先行画像メモリ２０ｂ及び圧縮画像メモリ２０ｃを具備する。画像メモリ２０ａは、カメラ信号処理装置１６からの画像データを圧縮処理用に一時記憶し、また、圧縮伸長装置１８により伸長された画像データ（再生画像データ）を一時記憶する。画像メモリ２０ａはまた、プレ記録モードで後続画像を一時記憶することにも利用される。先行画像メモリ２０ｂは、プレ記録モード時の先行画像データを一定時間分、記憶する。この一定時間を越えた分は、先行画像メモリ２０ｂから消去される。このような先行画像メモリ２０ｂは、周知のリングバッファを使用することで、容易に実現できる。圧縮画像メモリ２０ｃには、記録モード（プレ記録モードを含む）に圧縮伸長装置１８により圧縮された圧縮画像データが格納され、再生時には後述する記録媒体から読み出された圧縮画像データが格納される。
【００１３】
映像効果生成処理装置２２は、プレ記録モードで、ワークメモリ２０に記憶される画像データに対して、ユーザから指示された映像効果を施す。映像効果は、ここでは、先行画像に対するフェードイン、若しくは、後続画像に対するフェードアウト、又はこれらの両方である。
【００１４】
記録媒体インターフェース２４は、圧縮画像メモリ２０ｃからの圧縮画像データ及びシステム制御装置３２からの管理データを不揮発的に記録する記録媒体２６にデータを書き込む。また、記録媒体インターフェース２４は、記録媒体２６に記録されるデータを読み出し、圧縮画像データを圧縮画像メモリ２０ｃに書き込み、管理データをシステム制御装置３２に供給する。記録媒体２６は、例えば、磁気テープ、記録可能光ディスク、光磁気ディスク、ハードディスク、又は半導体メモリからなる。
【００１５】
圧縮伸長装置１８はまた、モニタ表示用にカメラ信号処理装置１６からの画像データ及び再生画像データのサイズを縮小する機能を具備する。表示制御装置２８は、圧縮伸長装置１８からのモニタ用にサイズを縮小された画像データに従い、表示装置３０に画像を表示させる。表示装置は記録モード時には、被写体の構図を観察するファインダとして機能し、再生モードでは、再生画像のモニタとなる。表示制御装置２８はまた、システム制御装置３２からの種々のメニュー画面を表示装置３０に表示させる。
【００１６】
システム制御装置３２は、操作装置３４を使ったユーザの指示に従い、撮像装置１０の全体を制御する。特に、操作装置３４は、記録モード（通常記録モード又はプレ記録モード）及び再生モード等の動作モードを指定するモードスイッチと、記録モードでの記録開始／終了を指示するレリーズスイッチを具備する。操作装置３４は更に、電源スイッチ、フォトキー、及び再生モードで再生動作を指示する種々の再生操作キー等を含む。記録モードはまた、目的画像のみを記録する通常記録モードと、目的画像の前に先行画像を記録し、目的画像の後に後続画像を記録するプレ記録モードを具備する。
【００１７】
プレ記録モードで、先行画像にフェード処理を加えて記録する本実施例の動作を説明する。図２は、そのフローチャートを示す。なお、この動作例では、記録終了指示の操作後の後続画像は記録されない。
【００１８】
電源スイッチがオンになり、ユーザが、モードスイッチにより、プレ記録モードを設定したとする。プレ記録モードの動作が開始すると（Ｓ１）、撮像素子１４による撮影画像が、カメラ信号処理装置１６及び圧縮伸長装置１８を介して先行画像メモリ２０ｂに書き込まれる（Ｓ２）。但し、先行画像メモリ２０ｂには一定時間分の先行画像データのみが記憶され、一定時間より古い先行画像データは先行画像メモリ２０ｂから消去される。そして、ユーザによる記録開始の指示を待つ（Ｓ３）。
【００１９】
ユーザによる記録開始の操作が入力すると（Ｓ３）、先行画像にフェード処理を加えて記録媒体２６に記録する（Ｓ４，Ｓ５，Ｓ６）。先行画像は、１枚又は複数毎の静止画でもよい。
【００２０】
具体的には、映像効果生成処理装置２２が、先行画像メモリ２０ｂから先行画像データを順次読み出してフェード処理を加え、先行画像メモリ２０ｂに書き戻す。圧縮伸長装置１８は、先行画像メモリ２０ｂのフェード処理された先行画像データを順次、圧縮符号化する。得られた圧縮画像データは、圧縮画像メモリ２０ｃ及び記録媒体インターフェース２４を介して記録媒体２６に記録される。先行画像データがフェード処理及び圧縮符号化され、記録媒体２６に記録されるまでの間、撮影された画像の画像データは、画像メモリ２０ａに蓄積されている。
【００２１】
先行画像データのフェード処理から記録までの間に画像メモリ２０ａに蓄積された本来画像データは、圧縮伸長装置１８により圧縮符号化されて、記録媒体２６に記録される（Ｓ７）。すなわち、圧縮伸長装置１８は、記録開始指示の操作以後、画像メモリ２０ａに蓄積された画像データ（本来画像データ）を順次、読み出して、圧縮符号化し、得られた圧縮画像データを圧縮画像メモリ２０ｃに書き込む。圧縮画像メモリ２０ｃの圧縮画像データは、順次、読み出され、記録媒体インターフェース２４を介して記録媒体２６に記録される。この間も、撮影された画像の画像データは、画像メモリ２０ａに蓄積されている。
【００２２】
ユーザの記録終了指示の操作に応じて（Ｓ８）、撮影画像の記録媒体２６への記録処理を終了する。より正確には、記録終了指示の操作時に、未記録分があれば、その圧縮と記録処理の終了を待って、プレ記録モードの動作を終了し、未記録分がなければ、即座にプレ記録モードの動作を終了する。先行画像データの記録処理を終了した直後では、本来画像データの圧縮と記録の処理は、撮影時から遅延している。しかし、記録開始からある程度以上の時間、経過していると、撮影画像データの圧縮と記録処理はリアルタイムで実行されうる。従って、一定以上の撮影時間であれば、記録終了指示の操作に応じて即座に記録動作を終了しうる。
【００２３】
先行画像にフェード処理を加える場合を説明したが、フェード処理以外の映像効果を与えるものであってもよい。
【００２４】
本来画像に一定時間の後続画像データを続けて記録する場合には、本来画像の記録の後に、後続画像データとして決められた時間の撮影画像データを圧縮し、記録媒体２６に記録する。後続画像データにフェード処理を施す場合には、圧縮の前に、映像効果生成処理装置２２により後続画像にフェード処理を加える。
【実施例２】
【００２５】
図３は、図１に示す撮像装置の、プレ記録モードにおける別の動作フローチャートを示す。この実施例では、先行画像データを圧縮符号化して、一定時間分を蓄積しておく点が、図２とは異なる。
【００２６】
電源スイッチがオンになり、ユーザが、モードスイッチにより、プレ記録モードを設定したとする。
【００２７】
プレ記録モードの動作が開始すると（Ｓ１１）、圧縮伸長装置１８が、撮像素子１４及びカメラ信号処理装置１６による撮影画像を圧縮符号化する（Ｓ１２）。そして、圧縮画像データが圧縮画像メモリ２０ｃに保存される（Ｓ１３）。圧縮画像メモリ２０ｃには、一定時間分の先行画像データの圧縮データが記憶され、一定時間より古い圧縮画像データは圧縮画像メモリ２０ｃから消去される。そして、ユーザによる記録開始の指示を待つ（Ｓ１４）。先行画像は、１枚又は複数毎の静止画でもよい。
【００２８】
ユーザによる記録開始の操作が入力すると（Ｓ１４）、圧縮伸長装置１８は、圧縮画像メモリ２０ｃから先行画像の圧縮画像データを読み出して復号化（伸長）する（Ｓ１６）。伸長により復元された画像データは、先行画像メモリ２０ｂに書き込まれる。映像効果生成処理装置２２は、先行画像メモリ２０ｂから先行画像データを順次読み出してフェード処理を加え、先行画像メモリ２０ｂに書き戻す（Ｓ１６）。圧縮伸長装置１８は、先行画像メモリ２０ｂのフェード処理された先行画像データを順次、圧縮符号化する（Ｓ１７）。得られた圧縮画像データは、記録媒体２６への記録に備えて圧縮画像メモリ２０ｃに保存される（Ｓ１８）。
【００２９】
記録開始指示の操作後に撮影された画像の画像データ（本来画像データ）は、先行画像の圧縮データの上記処理と並列に、圧縮伸長装置１８をスルーして画像メモリ２０ａに蓄積されている。圧縮伸長装置１８は、先行画像の伸長及び圧縮の合間を縫って、画像メモリ２０ａの画像データを圧縮符号化する（Ｓ１９）。圧縮画像データは、記録媒体２６への記録に備えて圧縮画像メモリ２０ｃに保存される（Ｓ２０）。
【００３０】
先行画像のフェード処理を終えるまで（Ｓ２１）、ステップＳ１５〜Ｓ２０を繰り返す。先行画像のフェード処理を完了すると（Ｓ２１）、フェード処理され圧縮された先行画像データを、圧縮画像メモリ２０ｃから読み出して記録媒体２６に記録する（Ｓ２２）。また、圧縮済みの本来画像データも、圧縮画像メモリ２０ｃから読み出して記録媒体２６に記録する。
【００３１】
処理待ちで画像メモリ２０ａに蓄積された画像データ（本来画像データ）を順次、読み出して圧縮符号化し、得られた圧縮画像データを圧縮画像メモリ２０ｃに書き込む（Ｓ２３）。圧縮画像メモリ２０ｃの圧縮画像データは、順次、読み出され、記録媒体インターフェース２４を介して記録媒体２６に記録される（Ｓ２４）。この間も、撮影された画像の画像データは、画像メモリ２０ａに蓄積されている。
【００３２】
ユーザの記録終了指示の操作に応じて（Ｓ２５）、撮影画像の記録媒体２６への記録処理を終了する。より正確には、記録終了指示の操作時に、未記録分があれば、その圧縮と記録処理の終了を待って、プレ記録モードの動作を終了し、未記録分がなければ、即座にプレ記録モードの動作を終了する。先行画像データの記録処理を終了した直後では、本来画像データの圧縮と記録の処理は、撮影時から遅延している。しかし、記録開始からある程度以上の時間、経過していると、撮影画像データの圧縮と記録処理はリアルタイムで実行されうる。従って、一定以上の撮影時間であれば、記録終了指示の操作に応じて即座に記録動作を終了しうる。
【００３３】
先行画像にフェード処理を加える場合を説明したが、フェード処理以外の映像効果を与えるものであってもよい。
【００３４】
なお、本来画像に一定時間の後続画像データを続けて記録する場合には、本来画像の記録の後に、後続画像データとして決められた時間の撮影画像データを圧縮し、記録媒体２６に記録する。後続画像データにフェード処理を施す場合には、圧縮の前に、映像効果生成処理装置２２により後続画像にフェード処理を加える。
【００３５】
図６は、撮影開始指示より以前の３秒分の画像データと撮影開始指示後２秒分の画像データにフェード処理を加えた場合のタイミング図を示す。横軸は時間を示し、縦軸はフェード効果の強さを示す。
【実施例３】
【００３６】
図４は、図１に示す撮像装置の、プレ記録モードにおける第３の動作フローチャートを示す。この実施例では、先行画像データをＲＡＷデータ形式で保存し、フェード処理を加えて記録する動作と、単に先行画像を記録する動作を選択可能とした。
【００３７】
電源スイッチがオンになり、ユーザが、モードスイッチにより、プレ記録モードを設定したとする。
【００３８】
プレ記録モードの動作が開始すると（Ｓ３１）、フェード設定のオン／オフを調べる（Ｓ３２）。図７に示すように、システム制御装置３２から圧縮伸長装置１８に、フェード設定のオン／オフを示す制御信号が供給される。フェード設定オンの場合、圧縮伸長装置１８は、先行画像に対する符号化処理を有効にする。フェード設定オフの場合、圧縮伸長装置１８は、先行画像に対する符号化処理を無効化し、成功画像データをスルーする。
【００３９】
フェード設定がオンの場合（Ｓ３２）、カメラ信号処理装置１６が、撮像素子１４の出力画像信号からいわゆるＲＡＷ画像データ又はＲＡＷデータを生成する（Ｓ３３）。圧縮伸長装置１８は、このＲＡＷ画像データを先行画像メモリ２０ｂに保存する（Ｓ３４）。先行画像メモリ２０ｂには、一定時間分の先行画像のＲＡＷデータが記憶され、一定時間より古いＲＡＷデータは先行画像メモリ２０ｂから消去される。そして、ユーザによる記録開始の指示を待つ（Ｓ３５）。先行画像は、１枚又は複数毎の静止画でもよい。
【００４０】
ユーザによる記録開始の操作が入力すると（Ｓ３５）、映像効果生成処理装置２２は、先行画像メモリ２０ｂからＲＡＷデータを順次読み出してフェード処理を加え、先行画像メモリ２０ｂに書き戻す（Ｓ３６）。圧縮伸長装置１８は、先行画像メモリ２０ｂのフェード処理された先行画像のＲＡＷデータを順次、圧縮符号化する（Ｓ３７）。得られた圧縮画像データは、記録媒体２６への記録に備えて圧縮画像メモリ２０ｃに保存される（Ｓ３８）。
【００４１】
記録開始指示の操作後に撮影された画像の画像データ（本来画像データ）は、先行画像のＲＡＷデータの上記処理と並列に、圧縮伸長装置１８をスルーして画像メモリ２０ａに蓄積されている。圧縮伸長装置１８は、先行画像の伸長及び圧縮の合間を縫って、画像メモリ２０ａの画像データを圧縮符号化する（Ｓ３９）。圧縮画像データは、記録媒体２６への記録に備えて圧縮画像メモリ２０ｃに保存される（Ｓ４０）。
【００４２】
先行画像のフェード処理を終えるまで（Ｓ４１）、ステップＳ３６〜Ｓ４０を繰り返す。先行画像のフェード処理を完了すると（Ｓ４１）、フェード処理され圧縮された先行画像データを、圧縮画像メモリ２０ｃから読み出して記録媒体２６に記録する（Ｓ４２）。また、圧縮済みの本来画像データも、圧縮画像メモリ２０ｃから読み出して記録媒体２６に記録する。
【００４３】
処理待ちで画像メモリ２０ａに蓄積された画像データ（本来画像データ）を順次読み出して圧縮符号化し、得られた圧縮画像データを圧縮画像メモリ２０ｃに書き込む（Ｓ４３）。圧縮画像メモリ２０ｃの圧縮画像データは、順次、読み出され、記録媒体インターフェース２４を介して記録媒体２６に記録される（Ｓ４４）。この間も、撮影された画像の画像データは、画像メモリ２０ａに蓄積されている。
【００４４】
ユーザの記録終了指示の操作に応じて（Ｓ４５）、撮影画像の記録媒体２６への記録処理を終了する。より正確には、記録終了指示の操作時に、未記録分があれば、その圧縮と記録処理の終了を待って、プレ記録モードの動作を終了し、未記録分がなければ、即座にプレ記録モードの動作を終了する。先行画像データの記録処理を終了した直後では、本来画像データの圧縮と記録の処理は、撮影時から遅延している。しかし、記録開始からある程度以上の時間、経過していると、撮影画像データの圧縮と記録処理はリアルタイムで実行されうる。従って、一定以上の撮影時間であれば、記録終了指示の操作に応じて即座に記録動作を終了しうる。
【００４５】
フェード設定がオフの場合（Ｓ３２）、図３のステップＳ１２、Ｓ１３と同様の処理を実行する。すなわち、圧縮伸長装置１８が、撮像素子１４及びカメラ信号処理装置１６による撮影画像を圧縮符号化する（Ｓ４６）。そして、圧縮画像データが圧縮画像メモリ２０ｃに保存される（Ｓ４７）。圧縮画像メモリ２０ｃには、一定時間分の先行画像データの圧縮データが記憶され、一定時間より古い圧縮画像データは圧縮画像メモリ２０ｃから消去される。そして、ユーザによる記録開始の指示を待つ（Ｓ４８）。このときも、先行画像は、１枚又は複数毎の静止画でもよい。ユーザによる記録開始の指示があると（Ｓ４８）、ステップＳ４２以降が実行される。
【００４６】
先行画像にフェード処理を加える場合を説明したが、フェード処理以外の映像効果を与えるものであってもよい。
【００４７】
なお、本来画像に一定時間の後続画像データを続けて記録する場合には、本来画像の記録の後に、後続画像データとして決められた時間の撮影画像データを圧縮し、記録媒体２６に記録する。後続画像データにフェード処理を施す場合には、圧縮の前に、映像効果生成処理装置２２により後続画像にフェード処理を加える。
【００４８】
先行画像データをＲＡＷデータのまま記憶するので、フェード処理等の映像効果処理前の伸長処理を省略でき、システム処理負荷を軽減できる。
【実施例４】
【００４９】
図５は、図１に示す撮像装置の、プレ記録モードにおける第４の動作フローチャートを示す。この実施例では、先行画像に対してフェード処理等の映像効果を完了するように、映像効果の強さを自動制御する。
【００５０】
電源スイッチがオンになり、ユーザが、モードスイッチにより、プレ記録モードを設定したとする。
【００５１】
プレ記録モードの動作が開始すると（Ｓ５１）、圧縮伸長装置１８が、撮像素子１４及びカメラ信号処理装置１６による撮影画像を圧縮符号化する（Ｓ５２）。そして、得られた圧縮画像データが圧縮画像メモリ２０ｃに保存される（Ｓ５３）。圧縮画像メモリ２０ｃには、一定時間分の先行画像データの圧縮データが記憶され、一定時間より古い圧縮画像データは圧縮画像メモリ２０ｃから消去される。そして、ユーザによる記録開始の指示を待つ（Ｓ５４）。先行画像は、１枚又は複数毎の静止画でもよい。
【００５２】
先行画像期間ｔ１の指定付きでユーザによる記録開始の操作が入力すると（Ｓ１４）、圧縮伸長装置１８は、圧縮画像メモリ２０ｃから指定期間ｔ１の先行画像の圧縮画像データを読み出して復号化する（Ｓ１６）。伸長により復元された画像データは、先行画像メモリ２０ｂに書き込まれる。映像効果生成処理装置２２は、まず、先行画像メモリ２０ｂから先行画像データを順次読み出し、先行画像の終了時点でフェード処理が完了するようなフェードレベルを算出する（Ｓ５６）。そして、映像効果生成処理装置２２は、算出したフェードレベルで、先行画像データにフェード処理を加え、先行画像メモリ２０ｂに書き戻す（Ｓ５７）。圧縮伸長装置１８は、先行画像メモリ２０ｂのフェード処理された先行画像データを順次、圧縮符号化する（Ｓ５８）。得られた圧縮画像データは、記録媒体２６への記録に備えて圧縮画像メモリ２０ｃに保存される（Ｓ５９）。
【００５３】
記録開始指示の操作後に撮影された画像の画像データ（本来画像データ）は、先行画像の上記処理と並列に、圧縮伸長装置１８をスルーして画像メモリ２０ａに蓄積されている。圧縮伸長装置１８は、先行画像の伸長及び圧縮の合間を縫って、画像メモリ２０ａの画像データを圧縮符号化する（Ｓ６０）。圧縮画像データは、記録媒体２６への記録に備えて圧縮画像メモリ２０ｃに保存される（Ｓ６１）。
【００５４】
先行画像のフェード処理を終えるまで（Ｓ６２）、ステップＳ５５〜Ｓ６１を繰り返す。先行画像のフェード処理を完了すると（Ｓ６２）、フェード処理され圧縮された先行画像データを、圧縮画像メモリ２０ｃから読み出して記録媒体２６に記録する（Ｓ６３）。また、圧縮済みの本来画像データも、圧縮画像メモリ２０ｃから読み出して記録媒体２６に記録する。
【００５５】
処理待ちで画像メモリ２０ａに蓄積された画像データ（本来画像データ）を順次、読み出して圧縮符号化し、得られた圧縮画像データを圧縮画像メモリ２０ｃに書き込む（Ｓ６４）。圧縮画像メモリ２０ｃの圧縮画像データは、順次、読み出され、記録媒体インターフェース２４を介して記録媒体２６に記録される（Ｓ６５）。この間も、撮影された画像の画像データは、画像メモリ２０ａに蓄積されている。
【００５６】
ユーザの記録終了指示の操作に応じて（Ｓ６６）、撮影画像の記録媒体２６への記録処理を終了する。より正確には、記録終了指示の操作時に、未記録分があれば、その圧縮と記録処理の終了を待って、プレ記録モードの動作を終了し、未記録分がなければ、即座にプレ記録モードの動作を終了する。先行画像データの記録処理を終了した直後では、本来画像データの圧縮と記録の処理は、撮影時から遅延している。しかし、記録開始からある程度以上の時間、経過していると、撮影画像データの圧縮と記録処理はリアルタイムで実行されうる。従って、一定以上の撮影時間であれば、記録終了指示の操作に応じて即座に記録動作を終了しうる。
【００５７】
先行画像にフェード処理を加える場合を説明したが、フェード処理以外の映像効果を与えるものであってもよい。映像効果として、例えば、カラー画像のモノクロ画像への変換や、セピア色への変換がある。
【００５８】
なお、本来画像に一定時間の後続画像データを続けて記録する場合には、本来画像の記録の後に、後続画像データとして決められた時間の撮影画像データを圧縮し、記録媒体２６に記録する。後続画像データにフェード処理を施す場合には、圧縮の前に、映像効果生成処理装置２２により後続画像にフェード処理を加える。
【００５９】
図８は、図５に示すフローによるシーケンス例を示す。横軸は時間を示し、縦軸はフェードレベルを示す。
【００６０】
ワークメモリ２０への複数のメモリアクセスは、並列化できる。また、圧縮伸長装置１８と映像効果生成処理装置２２の動作、並びに記録媒体インターフェース２４を介した記録媒体２６への書き込み処理もまた、並列化できる。このような並列化動作を使った構成も、本発明の技術的範囲に含まれうる。
【図面の簡単な説明】
【００６１】
【図１】本発明に係る撮像装置の一実施例の概略構成ブロック図である。
【図２】第１の動作フローチャートである。
【図３】第２の動作フローチャートである。
【図４】第３の動作フローチャートである。
【図５】第４の動作フローチャートである。
【図６】図３に示す動作フローにおけるフェードレベルの時間変化例である。
【図７】図４に示す動作フローに対応する圧縮伸長装置１８の機能を説明するブロック図である。
【図８】図５に示す動作フローにおけるフェードレベルの時間変化例である。
【符号の説明】
【００６２】
１０  撮像装置
１２  撮影レンズ
１４  撮像素子
１６  カメラ信号処理装置
１８  圧縮伸長装置
２０  ワークメモリ
２０ａ  画像メモリ
２０ｂ  先行画像メモリ
２０ｃ  圧縮画像メモリ
２２  映像効果生成処理装置
２４  記録媒体インターフェース
２６  記録媒体
２８  表示制御装置
３０  表示装置
３２  システム制御装置
３４  操作装置
【図１】
2010093407.tif 000003
【図２】
2010093407.tif 000004
【図３】
2010093407.tif 000005
【図４】
2010093407.tif 000006
【図５】
2010093407.tif 000007
【図６】
2010093407.tif 000008
【図７】
2010093407.tif 000009
【図８】
2010093407.tif 000010